(57)【特許請求の範囲】
【請求項１】
箱状であり、内部に収納空間を備え、シンクの配設を可能とした上面開口部と、収納物の収納及び取出しを可能とした前面開口部とを有するシンク下キャビネットにおける前面開口部の上端から下方に垂設された幕板に、化粧幕板の横幅方向に並設される複数のスペーサーを介して化粧幕板が取り付けられる構造において、スペーサーは、一定厚みの硬質材の上に、硬質材より長さが短く、厚みの厚い軟質材がその上端を硬質材の上端に一致させて積層一体化され、かつ硬質材の裏面及び軟質材の表面に粘着材が配設されたものであり、硬質材裏面の粘着材により個々のスペーサーが前記幕板の表面に貼着され、化粧幕板が、スペーサーの軟質材表面の粘着材によりスペーサーに貼着され、シンク下キャビネットの上面開口部に配設されるシンクの底部より下方に位置し、かつ個々のスペーサーにおいて軟質材が積層されず、硬質材のみとされている部分に対向して位置するシンク下キャビネットの内面から化粧幕板下部に向かってネジがねじ込まれ、幕板及びスペーサーを貫通して化粧幕板に螺着し、化粧幕板が、シンク下キャビネットの幕板と平行にその前方に締着していることを特徴とするシンク下キャビネットの幕板への化粧幕板の取付構造。
【請求項２】
スペーサーの軟質材が積層されない硬質材のみとされている部分に、軟質材よりも厚みの薄い硬質材が積層され、下に位置する硬質材と一体化されている請求項１記載のシンク下キャビネットの幕板への化粧幕板の取付構造。
【発明の詳細な説明】
【０００１】
【発明の属する技術分野】
この出願の発明は、シンク下キャビネットの幕板への化粧幕板の取付構造に関するものである。さらに詳しくは、この出願の発明は、シンクの配設の有無に関わらず、化粧幕板をシンク下キャビネットの幕板と平行にその前方に容易かつ一定の品質を保って取り付けることができ、化粧幕板の取付外観を良好とすることのできるシンク下キャビネットの幕板への化粧幕板の取付構造に関するものである。
【０００２】
【従来の技術】
様々なキッチンキャビネットが提供されている。その一つにシンクの配設を可能とするとともに、シンクより下方を備品などの収納空間として有効利用することのできるシンク下キャビネットが知られている。
【０００３】
このシンク下キャビネットは、たとえば図４に示すことができる。図４にはシンク（１）及びカウンター（２）が取り付けられた状態が示されているが、シンク下キャビネット（３）は、箱状であり、内部に収納空間を備え、シンク（１）の配設を可能とした上面開口部と、収納物の収納及び取出しを可能とした前面開口部とを有している。前面開口部には、開き戸（４）や引出し（５）などが設けられる。
【０００４】
このようなシンク下キャビネット（３）には、図５に示したように、備品などを収納及び取り出すために開き戸（４）や引出し（５）などを開け、前面開口部（６）を開放した時、シンク（１）の底部が露出することによる外観の低下を防止し、また、開き戸（４）や引出し（５）などを閉めた時、収納空間への埃などの侵入を防止し、密閉可能とするパッキン（７）を設けるなどのために、通常、幕板（８）が、前面開口部（６）の上端から下方に所定幅で垂設されている。
【０００５】
しかしながら、幕板（８）は、その一方で、引出し（５）などのシンク下キャビネット（３）の奥行き方向の前後に開閉する収納ユニットの移動にとっては邪魔となるため、シンク下キャビネット（３）の奥行き方向に前後に開閉する収納ユニットは、幕板（８）の下方に配設しなければならない。したがって、シンク下キャビネット（３）には、その前面全体が面一若しくはほぼ面一となり、開き戸（４）や引出し（５）などの他の表面と調和が取れるような化粧幕板（９）が、幕板（８）に取り付けられることがある。
【０００６】
この場合、留意すべきいくつかの点の一つに、化粧幕板（９）をシンク下キャビネット（３）の前面における他の表面と面一若しくはほぼ面一に取り付けることがある。前述した通り、幕板（８）にはパッキン（７）が設けられるため、化粧幕板（９）を直接幕板（８）の表面に取り付けることはできず、パッキン（７）の厚み分幕板（８）の表面より前方に取り付けなければならない。これは、たとえ幕板（８）において化粧幕板（９）の裏面の左右両端部及び上端部に相当する位置に、パッキン（７）を設ける場合にも共通する。
【０００７】
そこで、図５に示したように、シンク下キャビネット（３）には、化粧幕板（９）の表面が、シンク下キャビネット（３）の前面における他の表面と面一若しくはほぼ面一となるように、幕板（８）の表面と化粧幕板（９）の裏面との間に、スペーサー（１０）が、図６に示したように化粧幕板（９）の横幅方向に複数配列されて介設される。そして、個々のスペーサー（１０）に対応する幕板（８）の裏面よりスペーサー（１０）を貫通させて化粧幕板（９）の裏面部までネジ（１１）がねじ込まれ、化粧幕板（９）に螺着し、化粧幕板（９）の表面が、シンク下キャビネット（３）の前面における他の表面と面一若しくはほぼ面一となるように、化粧幕板（９）が幕板（８）の表面より前方に取り付けられ、両者は締着される。
【０００８】
【発明が解決しようとする課題】
しかしながら、幕板（８）の表面と化粧幕板（９）の裏面との間に介設されるスペーサー（１０）は、硬質材のみから構成すると、図４に示した引出し（５）などの前面部上縁及びカウンター（２）の前面部下縁と化粧幕板（８）の上縁との間に形成されるそれぞれの目地（１２）の幅が、化粧幕板（９）の横幅にわたって同一若しくはほぼ同一となるように調整することが難しく、また、図６に示したように、化粧幕板（９）の上端部が幕板（８）の表面から斜めに浮いたような状態に取り付けられることがしばしば起こる。後者の点は、図５に示したように、ネジ（１１）のねじ込み位置がスペーサー（１０）の下部であることに主に起因するが、ネジ（１１）のねじ込み位置をスペーサー（１０）の下部としているのは、化粧幕板（９）の幕板（８）への取付けが、シンク（１）が配設された状態において行われることが少なくないとの事情を考慮してのことである。図６に示したような化粧幕板（９）の斜めに浮いたような取付状態は、ネジ止め位置をスペーサー（１０）の中央部とすることにより容易に解消可能であるが、上記の事情によりそれはかなわない。なぜならば、ネジ止め位置を、シンク（１）が配設されている状態と配設されていない状態とに別々に定めることは、化粧幕板（９）の取付けの施工性に反映されるからであり、ネジ止め位置は、同一箇所、すなわち、シンク（１）が配設されるその状態で統一しておくことが好ましいからである。
【０００９】
そこで、従来、図５及び図７に示したようなスペーサー（１０）が考え出されている。
このスペーサー（１０）は、長さ及び幅が同一な硬質材（１３）及び軟質材（１４）を備え、硬質材（１３）上に軟質材（１４）が積層一体化された構成を有している。このスペーサー（１０）は、軟質材（１４）が有する柔軟性で前述した目地（１２）の幅を同一若しくはほぼ同一に調整可能とすることを狙っており、図５に示したように、硬質材（１３）が幕板（８）の表面上に、軟質材（１４）が化粧幕板（９）の裏面に向かうようにして配設される。
【００１０】
しかしながら、実際には、以上のスペーサー（１０）を用いて幕板（８）と化粧幕板（９）とをネジ（１１）により締着すると、硬質材（１３）のみから構成されるスペーサー（１０）に比べ、目地（１２）の幅調整は可能となるものの、ビス止め位置がスペーサー（１０）の下部であることからやはり図６に示したような化粧幕板（９）の上端部が斜めに浮くような取付状態が生ずることがままある。それというのも、軟質材（１４）は、スペーサー（１０）の下部においては圧縮され、化粧幕板（９）の裏面に密着するが、上部は、ネジ止め位置がスペーサー（１０）の下部であるため圧縮されず、化粧幕板（９）の裏面になかなか密着しにくいからである。したがって、常に一定の品質で化粧幕板（９）を幕板（８）と平行にその前方に取り付けることは難しかった。
【００１１】
この出願の発明は、このような事情に鑑みてなされたものであり、化粧幕板をシンク下キャビネットの幕板と平行にその前方に容易かつ一定の品質を保って取り付けることができ、化粧幕板の取付外観を良好とすることのできるシンク下キャビネットの幕板への化粧幕板の取付構造を提供することを解決すべき課題としている。
【００１２】
【課題を解決するための手段】
この出願の発明は、以上の課題を解決するものとして、箱状であり、内部に収納空間を備え、シンクの配設を可能とした上面開口部と、収納物の収納及び取出しを可能とした前面開口部とを有するシンク下キャビネットにおける前面開口部の上端から下方に垂設された幕板に、化粧幕板の横幅方向に並設される複数のスペーサーを介して化粧幕板が取り付けられる構造において、スペーサーは、一定厚みの硬質材の上に、硬質材より長さが短く、厚みの厚い軟質材がその上端を硬質材の上端に一致させて積層一体化され、かつ硬質材の裏面及び軟質材の表面に粘着材が配設されたものであり、硬質材裏面の粘着材により個々のスペーサーが前記幕板の表面に貼着され、化粧幕板が、スペーサーの軟質材表面の粘着材によりスペーサーに貼着され、シンク下キャビネットの上面開口部に配設されるシンクの底部より下方に位置し、かつ個々のスペーサーにおいて軟質材が積層されず、硬質材のみとされている部分に対向して位置するシンク下キャビネットの内面から化粧幕板下部に向かってネジがねじ込まれ、幕板及びスペーサーを貫通して化粧幕板に螺着し、化粧幕板が、シンク下キャビネットの幕板と平行にその前方に締着していることを特徴とするシンク下キャビネットの幕板への化粧幕板の取付構造（請求項１）を提供する。
【００１３】
またこの出願の発明は、以上のシンク下キャビネットの幕板への化粧幕板の取付構造に関し、スペーサーの軟質材が積層されない硬質材のみとされている部分に、軟質材よりも厚みの薄い硬質材が積層され、下に位置する硬質材と一体化されていること（請求項２）を一態様として提供する。
【００１４】
以下、図面に沿ってこの出願の発明のシンク下キャビネットの幕板への化粧幕板の取付構造についてさらに詳しく説明する。
【００１５】
【発明の実施の形態】
図１は、この出願の発明のシンク下キャビネットの幕板への化粧幕板の取付構造の一実施形態を示した斜視図であり、図２は、図１に示した実施形態の要部断面図である。
【００１６】
たとえば図１に示したように、この出願の発明のシンク下キャビネットの幕板への化粧幕板の取付構造もまた、箱状であり、内部に収納空間を備え、シンク（１）の配設を可能とした上面開口部と、収納物の収納及び取出しを可能とした前面開口部（６）とを有するシンク下キャビネット（３）における前面開口部（６）の上端から下方に垂設された幕板（８）に、化粧幕板（９）の横幅方向に並設される複数のスペーサー（１０）を介して化粧幕板（９）が取り付けられるが、この出願の発明のシンク下キャビネットの幕板への化粧幕板の取付構造におけるスペーサー（１０）は、図７に示したスペーサー（１０）と異なり、図３に示したような構成を有するものである。
【００１７】
すなわち、この出願の発明のシンク下キャビネットの幕板への化粧幕板の取付構造におけるスペーサー（１０）は、図３に示したように、一定厚み（ｔ13）の硬質材（１３）の上に、硬質材（１３）より長さが短く（すなわち、Ｌ13＞Ｌ14）、厚みの厚い（すなわち、ｔ13＜ｔ14）軟質材（１４）がその上端（１４ａ）を硬質材（１３）の上端（１３ａ）に一致させて積層一体化され、かつ硬質材（１３）の裏面及び軟質材（１４）の表面に粘着材（１５）が配設されたものとしている。
【００１８】
そして、この出願の発明のシンク下キャビネットの幕板への化粧幕板の取付構造では、図２に示したように、硬質材（１３）の裏面に配設された粘着材（１５）により個々のスペーサー（１０）が幕板（８）の表面に貼着され、化粧幕板（９）は、スペーサー（１０）の軟質材（１４）の表面に配設された粘着材（１５）によりスペーサー（１０）に貼着される。この状態はいわゆる仮止め状態とみなすことのできる状態であるが、この状態において、シンク下キャビネット（３）の上面開口部に配設されるシンク（１）の底部より下方に位置し、かつ個々のスペーサー（１０）において軟質材（１４）が積層されず、硬質材（１３）のみとされている部分に対向して位置するシンク下キャビネット（３）の内面から化粧幕板（９）の下部に向かってネジ（１１）がねじ込まれ、幕板（８）及びスペーサー（１０）を貫通して化粧幕板（９）に螺着させる。
【００１９】
この出願の発明のシンク下キャビネットの幕板への化粧幕板の取付構造におけるスペーサー（１０）では、前述した通り、軟質材（１４）の厚み（ｔ14）が硬質材（１３）の厚み（ｔ13）より厚いため、ネジ（１１）のねじ込みにしたがって軟質材（１４）は圧縮され、軟質材（１４）の表面が化粧幕板（９）の裏面に密着し、カウンター（２）の前面部下端と化粧幕板（９）の上端との間の目地（１２）の幅調整は、軟質材（１４）が有する柔軟性により容易となる。また、軟質材（１４）の長さ（Ｌ14）が硬質材（１３）の長さ（Ｌ13）より短く、各々の上端（１３ａ）（１４ａ）は一致しているため、ネジ（１１）のねじ込みの際にスペーサー（１０）においてネジ（１１）が貫通する部位は、軟質材（１４）が積層されていない硬質材（１３）のみとされている部分である。したがって、引出し（５）などの前面部上縁と化粧幕板（９）の上縁との間の目地（１２）の幅調整は、幕板（８）及びスペーサー（１０）において硬質材（１３）のみとされている部分を貫通して化粧幕板（９）に螺着させるネジ（１１）の締付け具合により容易に行うことができる。その結果、各目地（１２）の幅は、化粧幕板（９）の横幅にわたって同一若しくはほぼ同一となる。
【００２０】
そして、この出願の発明のシンク下キャビネットの幕板への化粧幕板の取付構造では、各目地（１２）の幅調整を容易としつつ、以上に示される構成を有するスペーサー（１０）により、ネジ（１１）のねじ込みによっても、図６に示したような化粧幕板（９）の上端部が斜めに浮くような取付状態が抑えられ、化粧幕板（９）が、シンク下キャビネット（３）の幕板（８）と平行にその前方に締着する。シンク（１）の配設の有無に関わらず、化粧幕板（９）をシンク下キャビネット（３）の幕板（８）と平行にしてその前方に取り付けることが容易となり、しかも取付品質を一定の品質に保つことができ、化粧幕板（９）の取付外観が良好となる。
【００２１】
なお、スペーサー（１０）を構成する硬質材（１３）、軟質材（１４）及び粘着材（１５）の詳細については特に制限はない。たとえば、安価な合成樹脂製とすることができ、その場合、樹脂の種類、発泡倍率などを変えることにより硬質材（１３）及び軟質材（１４）を容易に作成することができる。たとえば、硬質材（１３）にはポリプロピレンの３倍発泡品を、軟質材（１４）にはウレタンフォームの１５倍発泡品を使用することができる。また、積層一体化に際しては、軟質材（１４）の裏面に、たとえばウレタンフォームなどのスポンジ状の芯材の表裏面にアクリル系などの粘着剤を有するスポンジテープを使用することができ、この積層一体化に使用されるスポンジテープは、粘着材（１５）としても採用可能である。
【００２２】
さらに、この出願の発明のシンク下キャビネットの幕板への化粧幕板の取付構造では、図２及び図３に示したように、スペーサー（１０）の軟質材（１４）が積層されない硬質材（１３）のみとされている部分に、軟質材（１４）の下に位置する硬質材（１３）と同様に、軟質材（１４）よりも厚みの薄い（すなわち、ｔ13＜ｔ14）硬質材（１３）を積層し、軟質材（１４）の下に位置する硬質材（１３）と一体化することができる。この硬質材（１３）の上に積層一体化される硬質材（１３）は、スペーサー（１０）の強度を高めるとともに、ネジ（１１）のねじ込みの際のガイドともなり、シンク下キャビネット（３）の幕板（８）への化粧幕板（９）の取付けをより一層容易にし、品質の向上に有効となる。なお、それぞれの硬質材（１３）の下端（１３ｂ）は、強度保持やスペーサー（１０）の取付位置の位置決めを容易とするなどのために、一致させておくのが好ましい。
【００２３】
もちろん、この出願の発明は、以上の実施形態によって限定されるものではない。スペーサーを構成する硬質材、軟質材及び粘着材の材質などの細部については様々な態様が可能であることはいうまでもない。
【００２４】
【発明の効果】
以上詳しく説明した通り、この出願の発明によって、シンクの配設の有無に関わらず、化粧幕板をシンク下キャビネットの幕板と平行にその前方に容易かつ一定の品質を保って取り付けることが可能となり、化粧幕板の取付外観が良好となる。
【図面の簡単な説明】
【図１】この出願の発明のシンク下キャビネットの幕板への化粧幕板の取付構造の一実施形態を示した斜視図である。
【図２】図１に示した実施形態の要部断面図である。
【図３】この出願の発明のシンク下キャビネットの幕板への化粧幕板の取付構造におけるスペーサーの一形態を示した斜視図である。
【図４】シンク下キャビネットの一形態をシンク及びカウンターを取り付けた状態で示した斜視図である。
【図５】図４に示した実施形態の要部断面図である。
【図６】幕板への化粧幕板の取付けの一状態を示した要部斜視図である。
【図７】従来のスペーサーの構成を示した斜視図である。
【符号の説明】
１    シンク
２    カウンター
３    シンク下キャビネット
４    開き戸
５    引出し
６    前面開口部
７    パッキン
８    幕板
９    化粧幕板
１０    スペーサー
１１    ネジ
１２    目地
１３    硬質材
１３ａ    上端
１３ｂ    下端
１４    軟質材
１４ａ    上端
１５    粘着材
【図１】
0003680793.tif 000002
【図２】
0003680793.tif 000003
【図３】
0003680793.tif 000004
【図４】
0003680793.tif 000005
【図５】
0003680793.tif 000006
【図６】
0003680793.tif 000007
【図７】
0003680793.tif 000008